(57)【要約】【課題】吸殻回収装置を備える遊技機設置島の設計の自由度を向上させることができる遊技機設置島、吸殻回収装置を提供すること。【解決手段】遊技機設置島１は、パチンコ遊技機２やスロットマシン３が設置される設置部が複数設けられた躯体５を有してなり、パチンコ遊技機２から払い出された遊技球を受け入れる球箱２０を載置するための膳板１３が設けられる第１態様と、膳板１３が設けられない第２態様と、のいずれかに変更可能であり、吸殻回収装置１００は、各パチンコ遊技機２やスロットマシン３に対応して設けられる吸殻受入部１０１と、各吸殻受入部１０１から受け入れた吸殻を回収部１０３まで搬送するスパイラルコンベア１０４を有する回収路１０５と、を有し、回収路１０５は、躯体５の連結ビーム７１に支持されている。【選択図】図２
2014217455.tif 000002
【特許請求の範囲】
【請求項１】
遊技機が設置される設置部が複数設けられた躯体を有してなる遊技機設置島であって、
前記遊技機から払い出された遊技媒体を受け入れる箱体を載置するための載置板が設けられる第１態様と、前記載置板が設けられない第２態様と、のいずれかに変更可能であり、
吸殻を回収する吸殻回収装置を備え、
前記吸殻回収装置は、
前記遊技機に対応して設けられ、吸殻を受け入れる吸殻受入部と、
前記吸殻受入部から受け入れた吸殻を回収部まで搬送する搬送手段と、を有し、
前記搬送手段は、前記躯体に支持されている
ことを特徴とする遊技機設置島。
【請求項２】
遊技機が設置される設置部が複数設けられた躯体を有してなる遊技機設置島に設けられ吸殻を回収する吸殻回収装置であって、
前記遊技機設置島は、前記遊技機から払い出された遊技媒体を受け入れる箱体を載置するための載置板が設けられる第１態様と、前記載置板が設けられない第２態様と、のいずれかの態様に変更可能であり、
前記吸殻回収装置は、
前記遊技機に対応して設けられ、吸殻を受け入れる吸殻受入部と、
前記吸殻受入部から受け入れた吸殻を回収部まで搬送する搬送手段と、を有し、
前記搬送手段は、前記躯体に支持されている
ことを特徴とする吸殻回収装置。
【発明の詳細な説明】
【技術分野】
【０００１】
本発明は、遊技機が設置される設置部が複数設けられた躯体を有してなる遊技機設置島及び遊技機設置島に設けられる吸殻回収装置に関する。
【背景技術】
【０００２】
この種の吸殻回収装置を備える遊技機設置島として、例えば、遊技機の一例であるパチンコ遊技機が並設される島台（躯体）に固定された膳板（載置板）に、各パチンコ遊技機に対応して配設される灰皿と、各灰皿に連通され島台の長手方向に向けて延設される吸殻用ダクト（回収路）とが設けられ、該吸殻用ダクトに落下した吸殻が該吸殻用ダクトの一端に吸引され回収されるようにしたもの等があった（例えば、特許文献１参照）。
【０００３】
また、遊技機設置島において、設置する遊技機をパチンコ遊技機からスロットマシンに変更する場合や、パチンコ遊技機とスロットマシンとを併設する場合等において、パチンコ遊技機やスロットマシンを支持する支持枠の高さ位置を調整可能としたもの等があった（例えば、特許文献２参照）。
【先行技術文献】
【特許文献】
【０００４】
【特許文献１】特開平０８−１３１６４６号公報
【特許文献２】特開平１１−４７４１７号公報
【発明の概要】
【発明が解決しようとする課題】
【０００５】
上記特許文献１に記載の吸殻回収装置では、灰皿や吸殻用ダクトが、パチンコ遊技機から払い出される遊技球を受け入れる球箱（箱体）等を載置するための膳板（載置板）に設けられているが、例えば、スロットマシンの場合、払い出されるメダルを受け入れるメダル箱（箱体）等を載置するための膳板（載置板）を設ける必要がないため、上記特許文献２に記載の遊技機設置島のように、パチンコ遊技機とスロットマシンとを併設もしくは該スロットマシンのみを設置する場合に、本来不要である膳板を吸殻回収装置のために設ける必要があり、遊技機設置島の設計の自由度が制限されてしまうという問題があった。
【０００６】
本発明は、このような問題点に着目してなされたもので、吸殻回収装置を備える遊技機設置島の設計の自由度を向上させることができる遊技機設置島、吸殻回収装置を提供することを目的とする。
【課題を解決するための手段】
【０００７】
前記課題を解決するために、本発明の請求項１に記載の遊技機設置島は、
遊技機（例えば、パチンコ遊技機２、スロットマシン３／封入式パチンコ遊技機２Ａ）が設置される設置部（例えば、設置空間部ＳＦ，ＳＢ）が複数設けられた躯体（例えば、躯体５／躯体５Ａ／躯体５Ｂ）を有してなる遊技機設置島（例えば、遊技機設置島１）であって、
前記遊技機から払い出された遊技媒体を受け入れる箱体（例えば、球箱２０）を載置するための載置板（例えば、膳板１３）が設けられる第１態様（例えば、図２中の右側の設置空間部ＳＦの態様）と、前記載置板が設けられない第２態様（例えば、図２中の左側の設置空間部ＳＢの態様）と、のいずれかに変更可能であり、
吸殻（例えば、吸殻Ｇ）を回収する吸殻回収装置（例えば、吸殻回収装置１００／吸殻回収装置１００Ａ）を備え、
前記吸殻回収装置は、
前記遊技機に対応して設けられ、吸殻を受け入れる吸殻受入部（例えば、吸殻受入部１０１／吸殻受入部１０１Ａ）と、
前記吸殻受入部から受け入れた吸殻を回収部（例えば、回収部１０３／回収部１０３Ａ）まで搬送する搬送手段（例えば、誘導路１０２、スパイラルコンベア１０４、回収路１０５／誘導路１０２Ａ、回収路１０５Ａ）と、を有し、
前記搬送手段は、前記躯体に支持されている（例えば、回収路１０５は躯体５の一部である連結ビーム７１に取り付けられている。図２、図４参照／例えば、回収路１０５Ａは躯体５の一部である連結ビーム７３に取り付けられている。図１４参照／例えば、回収路１０５は躯体５の一部である連結ビーム１３１に取り付けられている。図１７参照）
ことを特徴としている。
この特徴によれば、吸殻回収装置の搬送手段が載置板ではなく躯体に支持されることで、遊技機設置島が遊技機の種類に応じて載置板が設けられない第２態様に変更された場合でも搬送手段を支持することができるため、遊技機設置島の設計の自由度が向上する。
【０００８】
また、本発明の請求項２に記載の吸殻回収装置は、
遊技機（例えば、パチンコ遊技機２、スロットマシン３／封入式パチンコ遊技機２Ａ）が設置される設置部（例えば、設置空間部ＳＦ，ＳＢ）が複数設けられた躯体（例えば、躯体５／躯体５Ａ／躯体５Ｂ）を有してなる遊技機設置島（例えば、遊技機設置島１）に設けられ吸殻（例えば、吸殻Ｇ）を回収する吸殻回収装置（例えば、吸殻回収装置１００／吸殻回収装置１００Ａ）であって、
前記遊技機から払い出された遊技媒体を受け入れる箱体（例えば、球箱２０）を載置するための載置板（例えば、膳板１３）が設けられる第１態様（例えば、図２中の右側の設置空間部ＳＦの態様）と、前記載置板が設けられない第２態様（例えば、図２中の左側の設置空間部ＳＢの態様）と、のいずれかに変更可能であり、
前記吸殻回収装置は、
前記遊技機に対応して設けられ、吸殻を受け入れる吸殻受入部（例えば、吸殻受入部１０１／吸殻受入部１０１Ａ）と、
前記吸殻受入部から受け入れた吸殻を回収部（例えば、回収部１０３／回収部１０３Ａ）まで搬送する搬送手段（例えば、誘導路１０２、スパイラルコンベア１０４、回収路１０５／誘導路１０２Ａ、回収路１０５Ａ）と、を有し、
前記搬送手段は、前記躯体に支持されている（例えば、回収路１０５は躯体５の一部である連結ビーム７１に取り付けられている。図２、図４参照／例えば、回収路１０５Ａは躯体５の一部である連結ビーム７３に取り付けられている。図１４参照／例えば、回収路１０５は躯体５の一部である連結ビーム１３１に取り付けられている。図１７参照）
ことを特徴としている。
この特徴によれば、吸殻回収装置の搬送手段が載置板ではなく躯体に支持されることで、遊技機設置島が遊技機の種類に応じて載置板が設けられない第２態様に変更された場合でも搬送手段を支持することができるため、遊技機設置島の設計の自由度が向上する。
【０００９】
本発明の手段１の遊技機設置島、吸殻回収装置は、請求項１に記載の遊技機設置島、請求項２に記載の吸殻回収装置であって、
前記吸殻受入部（例えば、吸殻受入部１０１／吸殻受入部１０１Ａ）は、複数の前記設置部（例えば、設置空間部ＳＦ，ＳＢ）に設置される遊技機（例えば、パチンコ遊技機２、スロットマシン３／封入式パチンコ遊技機２Ａ）のうち少なくとも一の遊技機と該一の遊技機と隣り合う他の遊技機との間に配設されている（例えば、図１参照）
ことを特徴としている。
この特徴によれば、遊技者の脚の邪魔にならない箇所に吸殻受入部を配設することができる。
【００１０】
本発明の手段２の遊技機設置島、吸殻回収装置は、請求項１または手段１に記載の遊技機設置島、請求項２または手段１に記載の吸殻回収装置であって、
前記搬送手段は、
前記吸殻受入部（例えば、吸殻受入部１０１Ａ）から延設され受け入れた吸殻（例えば、吸殻Ｇ）を誘導する誘導路（例えば、誘導路１０２Ａ）と、
前記遊技機設置島（例えば、遊技機設置島１）の長手方向に向けて延設され、前記誘導路により誘導された吸殻を前記回収部（例えば、回収部１０３Ａ）まで誘導する回収路（例えば、回収路１０５Ａ）と、を有し、
前記誘導路は、前記躯体（例えば、躯体５Ａ）から遊技者側に突出するように設けられ、該誘導路の突出側端部に前記吸殻受入部が配設されている（図１４参照）
ことを特徴としている。
この特徴によれば、吸殻受入部が躯体よりも遊技者側に配置されるので、遊技者は吸殻を投入しやすくなる。
【００１１】
本発明の手段３の遊技機設置島、吸殻回収装置は、請求項１、手段１、手段２のいずれかに記載の遊技機設置島、請求項２、手段１、手段２のいずれかに記載の吸殻回収装置であって、
前記搬送手段は、
前記吸殻受入部（例えば、吸殻回収装置１００／吸殻回収装置１００Ａ）から延設され受け入れた吸殻（例えば、吸殻Ｇ）を誘導する誘導路（例えば、誘導路１０２／誘導路１０２Ａ）と、
前記遊技機設置島（例えば、遊技機設置島１）の長手方向に向けて延設され、前記誘導路により誘導された吸殻を前記回収部（例えば、回収部１０３／回収部１０３Ａ）まで誘導する回収路（例えば、回収路１０５／回収路１０５Ａ）と、を有し、
前記誘導路は、前記吸殻受入部から前記回収路に向けて下方に傾斜するように設けられている（例えば、図２、図７参照）
ことを特徴としている。
この特徴によれば、吸殻受入部から受け入れた吸殻を自然流下により回収路に誘導できるので、製造コストを低減できる。
【００１２】
本発明の手段４の遊技機設置島、吸殻回収装置は、請求項１、手段１〜３のいずれかに記載の遊技機設置島、請求項２、手段１〜３のいずれかに記載の吸殻回収装置であって、
前記遊技機設置島（例えば、遊技機設置島１）は、該遊技機設置島の一面側（例えば、前面側）及び該一面の反対面側（例えば、背面側）に前記設置部（例えば、設置空間部ＳＦ，ＳＢ）が配設され、
前記吸殻受入部は、
前記遊技機設置島の一面側に配設される第１吸殻受入部（例えば、前面側の吸殻受入部１０１／吸殻受入部１０１Ａ）と、
前記遊技機設置島の他面側に設けられた第２吸殻受入部（例えば、背面側の吸殻受入部１０１／吸殻受入部１０１Ａ）と、を有し、
前記搬送手段は、前記第１吸殻受入部と前記第２吸殻受入部との間に設けられている（例えば、図２、図３参照）
ことを特徴としている。
この特徴によれば、遊技機設置島の一面側に設けられた第１吸殻受入部から受け入れた吸殻と遊技機設置島の反対面側に設けられた第２吸殻受入部から受け入れた吸殻とを共通の搬送手段にて回収することができる。
【００１３】
本発明の手段５の遊技機設置島、吸殻回収装置は、請求項１、手段１〜４のいずれかに記載の遊技機設置島、請求項２、手段１〜４のいずれかに記載の吸殻回収装置であって、
前記躯体（例えば、躯体５Ｂ）は、
設置面（例えば、床面上に設置された下部レール６２，６２）に立設される第１フレーム（例えば、下部フレーム体１７３，１７３の第２縦フレーム７６，７６）と、
前記第１フレームに対し高さ位置を調整可能に設けられた第２フレーム（例えば、昇降フレーム１３０，１３０、連結ビーム１３１）と、を有し、
前記搬送手段は、前記第２フレームに支持されている（例えば、躯体５Ｂの一部である昇降フレーム１３０，１３０を連結する連結ビーム１３１に取り付けられている。図１７参照）
ことを特徴としている。
この特徴によれば、第２フレームの高さ位置を調整することに応じて搬送手段が上下動するので、設置する高さ位置が異なる遊技機を併設する場合でも対応することができる。
【００１４】
本発明の手段６の遊技機設置島、吸殻回収装置は、手段５に記載の遊技機設置島、吸殻回収装置であって、
前記搬送手段は、
前記吸殻受入部（例えば、吸殻受入部１０１／吸殻受入部１０１Ａ）から延設され受け入れた吸殻（例えば、吸殻Ｇ）を誘導する誘導路（例えば、誘導路１０２／誘導路１０２Ａ）と、
前記遊技機設置島（例えば、遊技機設置島１）の長手方向に向けて延設され、前記誘導路により誘導された吸殻を前記回収部（例えば、回収部１０３／回収部１０３Ａ）まで誘導する回収路（例えば、回収路１０５／回収路１０５Ａ）と、を有し、
前記誘導路は、前記回収路または前記吸殻受入部に対する接続位置を変更可能に構成されている（例えば、図１６参照）
ことを特徴としている。
この特徴によれば、吸殻受入部を第１位置と該第１位置よりも高い第２位置とに配設する場合でも、接続位置を変更するだけで誘導路を容易に回収路または吸殻受入部に接続することができる。
【００１５】
本発明の手段７の遊技機設置島、吸殻回収装置は、請求項１、手段１〜６のいずれかに記載の遊技機設置島、請求項２、手段１〜６のいずれかに記載の吸殻回収装置であって、
前記遊技機（例えば、パチンコ遊技機２、スロットマシン３／封入式パチンコ遊技機２Ａ）は、当該遊技機から払い出された遊技媒体（例えば、遊技球、メダルなど）を前記箱体（例えば、球箱２０／メダル箱）に排出する排出部（例えば、排出口２ｃ）を有する第１遊技機（例えば、パチンコ遊技機２）と前記排出部を有しない第２遊技機（例えば、スロットマシン３／パチンコ遊技機２Ａ）とを含み、
前記遊技機設置島（例えば、遊技機設置島１）は、
前記第１遊技機を設置するときは前記第１態様（例えば、図２中の右側の設置空間部ＳＦの態様）とし、前記第２遊技機を設置するときには前記第２態様（例えば、図２中の左側の設置空間部ＳＢの態様）とされる
ことを特徴としている。
この特徴によれば、遊技機の種類に応じて遊技機設置島の態様を変更可能であるため、第１遊技機と第２遊技機とを個別または併設することができる。
【図面の簡単な説明】
【００１６】
【図１】遊技機設置島の前面及び背面を示す図である。
【図２】図１のＡ−Ａ断面図である。
【図３】遊技機設置島の内部構造を示す斜視図である。
【図４】遊技機設置島の躯体構造を示す斜視図である。
【図５】吸殻受入部の内部構造を示す断面図である。
【図６】回収路の内部構造を示す断面図である。
【図７】誘導路と回収路との接続部を示す断面図である。
【図８】躯体に支持された回収路を示す一部破断図である。
【図９】遊技機設置島の前後面にパチンコ遊技機を設置した状態を示す断面図である。
【図１０】遊技機設置島の前後面にスロットマシンを設置した状態を示す断面図である。
【図１１】遊技機設置島の前後面に封入式のパチンコ遊技機を設置した状態を示す断面図である。
【図１２】遊技機設置島の前面側のみに封入式のパチンコ遊技機を設置した状態を示す断面図である。
【図１３】遊技機設置島の前面及び背面を示す図である。
【図１４】図１３のＢ−Ｂ断面図である。
【図１５】遊技機設置島の要部を示す斜視図である。
【図１６】本発明の変形例としての誘導路の構成を示す断面図である。
【図１７】本発明の変形例としての躯体の要部を示す図である。
【発明を実施するための形態】
【００１７】
本発明に係る遊技機設置島、吸殻回収装置を実施するための形態を実施例に基づいて以下に説明する。
【実施例】
【００１８】
本発明の実施例としての遊技機設置島について、図面に基づいて説明する。図１は、遊技機設置島の前面及び背面を示す図である。図２は、図１のＡ−Ａ断面図である。図３は、遊技機設置島の内部構造を示す斜視図である。図４は、遊技機設置島の躯体構造を示す斜視図である。図５は、吸殻受入部の内部構造を示す断面図である。図６は、回収路の内部構造を示す断面図である。図７は、誘導路と回収路との接続部を示す断面図である。図８は、躯体に支持された回収路を示す一部破断図である。尚、以下の説明においては、説明の便宜上、図１におけるパチンコ遊技機の正面側を遊技機設置島の前面側、スロットマシンの正面側を遊技機設置島の背面（後面）側として説明する。
【００１９】
図１〜図３に示すように、本発明の実施例としての遊技機設置島１は、例えば、遊技店（図示略）内に複数配設されている。遊技機設置島１は、遊技機を左右方向に向けて複数設置可能に横長に構成され、その前後面には、遊技機が設置される設置空間部ＳＦ，ＳＢが長手方向に向けて複数個所に形成されている。前面側の各設置空間部ＳＦには、遊技機の一例であるパチンコ遊技機２が設置されているとともに、各パチンコ遊技機２に対応してカードユニット６及びユーティリティーユニット７が複数設置されている。また、背面側の複数の設置空間部ＳＢには、遊技機の他の例であるスロットマシン３が複数設置されているとともに、各スロットマシン３に対応してメダル貸出機８及びユーティリティーユニット７が複数設置されている。また、遊技機設置島１は、これら設置空間部ＳＦ，ＳＢが設けられる躯体５を有してなるとともに、吸殻を回収するための吸殻回収装置１００を備えている。
【００２０】
本実施例における躯体５は、パチンコ遊技機２やスロットマシン３等を支持する支持体であって、遊技店等の床面上に敷設される前後一対のレール部材としての下部レール６２，６２と、該下部レール６２，６２上に立設される躯体ユニットとしての下部ユニット６０と、下部ユニット６０の上部に設置される上部ユニット６１と、から主に構成される。
【００２１】
下部レール６２，６２は、チャンネル状（断面略上向きＣ字形）の金属製レールからなり、遊技店等の床面、すなわち、下部ユニット６０を設置する設置面上にアンカーボルト（図示略）等を介して略水平に固設される。尚、下部ユニット６０は、床面上に直接設置されてもよい。
【００２２】
上部ユニット６１は、金属製フレーム及び木板により中空箱状に形成され、遊技機設置島の上部である幕板部を構成するユニットであり、その前後面には、遊技店員を呼出す呼出しスイッチ（図示略）や遊技に関する情報の表示が可能、つまり、遊技店員の呼出しや遊技に関連する情報の報知等が可能な報知装置としての呼出しランプ２００が配設された幕板５０が、上辺を中心として開閉可能に取り付けられるようになっている。
【００２３】
図２〜図４に示すように、下部ユニット６０は、管状の金属製フレームからなり、遊技機設置島１の下部である腰部及び中間部である設置部を構成するユニットであり、その前後面下部には、木製の扉枠１２及びその上部に固定される膳板１３、固定板１３ａが取り付けられるようになっており、該固定板１３ａの上面、つまり設置空間部ＳＦ，ＳＢには、パチンコ遊技機２、スロットマシン３、カードユニット６、ユーティリティーユニット７、メダル貸出機８が設置固定されるようになっている。
【００２４】
詳しくは、図４に示すように、下部ユニット６０は、互いに長手方向に対向して配置される左右一対の支持枠６６Ｌ，６６Ｒと、これら支持枠６６Ｌ，６６Ｒ間を連結する前後一対の連結フレーム６７Ｆ，６７Ｂと、からなる。連結フレーム６７Ｆ，６７Ｂを介して一体化された左右一対の支持枠６６Ｌ，６６Ｒからなる下部ユニット６０は、下部レール６２，６２の長手方向にわたり所定間隔おきに設置される。
【００２５】
以下、支持枠６６Ｌ，６６Ｒの構成について説明する。尚、支持枠６６Ｌ，６６Ｒは、連結フレーム６７Ｆ，６７Ｂが左側か右側のいずれかに連結されている点のみが異なり、その他は同様に構成されているため、以下においては左側の支持枠６６Ｌについて説明し、右側の支持枠６６Ｒについての説明は省略することとする。
【００２６】
支持枠６６Ｌは、前支持枠７０Ｆと、後支持枠７０Ｂと、これら前支持枠７０Ｆと後支持枠７０Ｂとを連結する上下の連結ビーム７１，７２と、から構成されている。前支持枠７０Ｆ及び後支持枠７０Ｂは、パチンコ遊技機２やスロットマシン３の下部を支持する前後一対の下部フレーム体１７３，１７３と、下部フレーム体１７３，１７３の上方に設けられパチンコ遊技機２やスロットマシン３の上部を支持する上部フレーム体１７４，１７４と、から構成されている。
【００２７】
下部フレーム体１７３，１７３は、設置面となる下部レール６２，６２に立設される第１縦フレーム７４，７４と、第１縦フレーム７４，７４の上部から互いに他方の支持枠に向けて略水平に延設され、遊技機を支持する横フレーム７５，７５と、横フレーム７５，７５から上方に延設され上部フレーム体１７４，１７４が上下方向に位置調整可能に設けられる第２縦フレーム７６，７６と、を備えている。
【００２８】
尚、本実施例では、これら各フレーム７４〜７６及び連結ビーム７１，７２は、断面略長方形状の金属管にて構成されているが、合成樹脂材からなる管体や非中空の柱状部材にて構成されていてもよく、素材や断面形状などは種々に変形可能である。また、第１縦フレーム７４，７４は、高さ位置を調整可能に構成されており、床面の不陸に対応して左右の支持枠６６Ｌ，６６Ｒそれぞれの前後の支持枠７０Ｆ，７０Ｂの高さ位置を調整することで、膳板１３を略水平に配置できるようになっている。
【００２９】
横フレーム７５，７５は、一端が第１縦フレーム７４，７４の上端に溶着固定され、互いに他方の支持枠に向けて略水平に延設された短寸のフレームにて構成されている。第２縦フレーム７６，７６は、横フレーム７５，７５における互いに対向する端部から上方に向けて延設されている。つまり、前支持枠７０Ｆ、後支持枠７０Ｂは、下端から上方に向けてクランク状に形成されている。第２縦フレーム７６，７６の上下部には、連結ビーム７１，７２の端部がそれぞれ溶着により固定されている。また、上部フレーム体１７４，１７４には、上部ユニット６１（図３参照）が取り付けられる。
【００３０】
また、各支持枠６６Ｌ，６６Ｒの横フレーム７５，７５には固定板１３ａが左右方向に架け渡され、これら固定板１３ａの上面にパチンコ遊技機２やスロットマシン３を載置できるようになっている。また、本実施例では、各支持枠６６Ｌ，６６Ｒにおける前面側の各横フレーム７５の上面に、躯体５とは別個に側面視四角枠状に形成された載置枠１２０がネジ（図示略）等により着脱可能に取り付けられ、各載置枠１２０の上面に膳板１３が架け渡され、該膳板１３の上面に固定板１３ａが載置される。一方、各支持枠６６Ｌ，６６Ｒにおける背面側の各横フレーム７５の上面には、固定板１３ａが直接左右方向に架け渡される。
【００３１】
膳板１３及び固定板１３ａは、パチンコ遊技機２やスロットマシン３を設置可能な前後幅寸法を有し、遊技機設置島１の長手方向に向けて延びる所定長さの帯状の板部材からなる。膳板１３の前後幅寸法は、固定板１３ａの前後幅寸法よりも長寸（例えば、約２倍）とされ、後述する設置空間部ＳＦ，ＳＢに取り付けられた状態において、膳板１３は固定板１３ａよりも遊技者側に突出するように設けられる。
【００３２】
これにより、躯体５における下部ユニット６０と上部ユニット６１との間の前後面に、パチンコ遊技機２やスロットマシン３などの遊技機を設置可能な設置空間部ＳＦ，ＳＢが設けられる。詳しくは、設置空間部ＳＦは、下部ユニット６０における各横フレーム７５の上面に膳板１３を介して架け渡される固定板１３ａと上部ユニット６１との間に前面側に開放するように形成され、設置空間部ＳＢは、下部ユニット６０における各横フレーム７５の上面に架け渡される固定板１３ａと上部ユニット６１との間に背面側に開放するように形成される。そして、設置空間部ＳＦ，ＳＢに設置された遊技機の下面は、下部ユニット６０における横フレーム７５の上面により下方から支持され、設置空間部ＳＦ，ＳＢに設置される遊技機の上面は、上部ユニット６１の下面により支持される。
【００３３】
図１及び図２には、躯体５における前面側の設置空間部ＳＦにパチンコ遊技機２を設置し、後面側の設置空間部ＳＢにスロットマシン３を設置した状態が示されている。本実施例においては、パチンコ遊技機２とスロットマシン３の上下幅寸法はほぼ同一とされている。また、左右の支持枠６６Ｌ，６６Ｒの離間幅は、所定台数（本実施例では２台）の遊技機とそれに対応するカードユニット６、ユーティリティーユニット７、メダル貸出機８等の合計幅寸法とほぼ同じとされているため、遊技機を設置する際に支持枠６６Ｌ，６６Ｒが邪魔になることがないが、遊技機の幅寸法に応じて連結フレーム６７Ｆ，６７Ｂの長さを調整することができるようにしてもよい。
【００３４】
パチンコ遊技機２は、遊技を行うために遊技球を遊技領域（図示略）に発射するが、この遊技を行う際に遊技者により操作されるハンドルなどの操作部２ａが、遊技機本体の下部位置に配設されている。よって、パチンコ遊技機２を設置空間部ＳＦに設置する場合、横フレーム７５の上面に載置枠１２０を配置して横フレーム７５よりも上方位置に遊技機の支持面を形成する。具体的には、各載置枠１２０の上面（第２支持面）に膳板１３及び固定板１３ａを配設し、この固定板１３ａ上にパチンコ遊技機２の下面を釘（図示略）等により固定する。また、載置枠１２０の上面に合わせて、第２縦フレーム７６に対して上部フレーム体１７４を上昇させて所定の高さ位置にて保持することで設置空間部ＳＦの上下幅寸法が確保され、パチンコ遊技機２の上面を釘（図示略）等により上部ユニット６１の下面に固定することによって、パチンコ遊技機２を設置空間部ＳＦに設置固定することができる。
【００３５】
一方、スロットマシン３は、遊技を行うためにメダルを投入したり、複数種類の図柄が可変表示される可変表示装置（リール）の回転を開始または停止する各種スイッチなどの操作部３ａが、遊技機本体の上下方向の略中央位置に配設されている。よって、スロットマシン３を設置空間部ＳＢに設置する場合、横フレーム７５の上面（第１支持面）に固定板１３ａのみを配設し、この固定板１３ａ上にスロットマシン３の下面を釘（図示略）等により固定する。また、横フレーム７５の上面に合わせて、第２縦フレーム７６に対して上部フレーム体１７４を下降させて下限位置にて保持することで設置空間部ＳＢの上下幅寸法が確保され、スロットマシン３の上面を釘（図示略）等により上部ユニット６１の下面に固定することによって、スロットマシン３を設置空間部ＳＢに設置固定することができる。
【００３６】
このように本実施例の躯体５には、パチンコ遊技機２やスロットマシン３等の遊技機を設置するための複数の設置空間部ＳＦ，ＳＢが長手方向（左右方向）に向けて設けられる。また、パチンコ遊技機２の場合、図１及び図２に示すように、遊技者がパチンコ遊技機２にて遊技を行った結果該パチンコ遊技機２から払い出された遊技球を貯留可能な下皿２ｂの下面に、払い出された遊技球を所定の操作により排出可能な排出口２ｃが設けられており、該排出口２ｃから排出された遊技球を、膳板１３の上面に載置された球箱２０にて受け入れて貯留できるようになっているため、パチンコ遊技機２は、膳板１３を必要とする遊技機とされている。よって、パチンコ遊技機２が設置される設置空間部ＳＦには、横フレーム７５の上面に取り付けた載置枠１２０の上面（第２支持面）に膳板１３が載置され、該膳板１３の上面に固定板１３ａが載置される。つまり、膳板１３は、パチンコ遊技機２の排出口２ｃの直下に球箱２０を載置可能に設けられ、パチンコ遊技機２から払い出された遊技球を受け入れる箱体としての球箱２０を載置するための載置板を構成している。
【００３７】
一方、スロットマシン３の場合、図１及び図２に示すように、遊技者がスロットマシン３にて遊技を行った結果該スロットマシン３から払い出されたメダルを貯留可能な下皿３ｂの下面に、払い出されたメダルを排出可能な排出口は存在せず、該排出口から排出されたメダルを膳板１３の上面に載置されたメダル箱（図示略）にて受け入れて貯留することはないので、スロットマシン３は、膳板１３を必要としない遊技機とされている。よって、スロットマシン３が設置される設置空間部ＳＢには、横フレーム７５の上面（第１支持面）に固定板１３ａが直接載置される。
【００３８】
このように本実施例の遊技機設置島１の設置空間部ＳＦ，ＳＢは、パチンコ遊技機２から払い出された遊技球を受け入れる箱体としての球箱２０を載置するための載置板としての膳板１３が設けられる第１態様と、膳板１３が設けられない第２態様と、のいずれかに個別に変更可能に構成されている。
【００３９】
尚、本実施例では、パチンコ遊技機２は、払い出された遊技球を排出可能な排出口２ｃを有し、球箱２０を載置するための膳板１３が必要な遊技機であり、スロットマシン３は、払い出されたメダルを排出可能な排出口を有しておらず、メダル箱を載置するための膳板１３が不要な遊技機であったが、パチンコ遊技機２が、払い出された遊技球を排出可能な排出口を有しておらず、球箱２０を載置するための膳板１３が不要な遊技機であってもよいし、スロットマシン３が、払い出されたメダルを排出可能な排出口を有し、メダル箱を載置するための膳板１３が必要な遊技機であってもよい。
【００４０】
また、第１支持面や第２支持面に合わせて第２縦フレーム７６に対して上部フレーム体１７４を昇降させて上限位置や下限位置に高さ位置調整できることで、パチンコ遊技機２やスロットマシン３の上面に対する上部ユニット６１の高さ位置関係が変化することがないので、遊技者に違和感を与えることがない。例えば、上部ユニット６１の高さ位置を、パチンコ遊技機２に対応する高さ位置に合わせて固定してしまう場合、スロットマシン３を設置したときに、スロットマシン３の上面と上部ユニット６１との間に隙間が生じてしまうので、違和感を与えてしまうばかりか、スロットマシン３から離れてしまうため、例えば、呼出しランプ２００に遊技に関する情報（例えば、大当り回数やスランプグラフなど）が表示される場合に、スロットマシン３にて遊技を行っている遊技者がその情報を見るときに、目線を大きくずらさなければならなくなるため、情報の視認性が損なわれることになる。よって、第１支持面や第２支持面に合わせて第２縦フレーム７６に対して上部フレーム体１７４を昇降させることで、情報が見難くなることを防止できる。
【００４１】
尚、本実施例では、設置空間部ＳＦにパチンコ遊技機２を設置し、設置空間部ＳＢにスロットマシン３を設置したが、言うまでもなく、設置空間部ＳＢにパチンコ遊技機２を設置し、設置空間部ＳＦにスロットマシン３を設置してもよい。
【００４２】
また、図２に示す躯体５における前後の設置空間部ＳＦ，ＳＢ間の上部位置には、それぞれの遊技機に対応して配置されるカードユニット６やメダル貸出機８に投入された紙幣を搬送する紙幣搬送ユニット１５０が長手方向にわたり延設されている。また、スロットマシン３の上方位置には、スロットマシン３に補給するメダルを搬送するメダル補給ユニット１６０が長手方向にわたり延設されているとともに、スロットマシン３の下方位置には、スロットマシン３からオーバーフローして排出されたメダルを搬送するメダル回収ユニット１７０が長手方向にわたり延設されている。また、パチンコ遊技機２側には、遊技球を補給するための補給経路（図示略）、パチンコ遊技機２から排出された遊技球を回収する回収経路（図示略）、回収した遊技球を躯体１の上方に揚送する揚送装置２１０及び揚送経路２２０、揚送された遊技球を貯留する上部タンク２３０といった遊技球の循環経路を配設可能である。
【００４３】
次に、吸殻回収装置１００について説明する。図１〜図４に示すように、吸殻回収装置１００は、各パチンコ遊技機２及び各スロットマシン３に対応して設けられる吸殻受入部１０１と、該吸殻受入部１０１から延設され受け入れた吸殻を誘導する誘導路１０２と、該誘導路１０２により誘導された吸殻を、遊技機設置島１の左側部に設けられた回収部１０３まで搬送するスパイラルコンベア１０４（図６参照）が設けられた回収路１０５と、を有している。
【００４４】
図１及び図４に示すように、本実施例では、吸殻受入部１０１は、各パチンコ遊技機２、各スロットマシン３それぞれの左側に対応して設けられたユーティリティーユニット７に設けられている。図１及び図５に示すように、ユーティリティーユニット７は、上部ユニット６１と固定板１３ａとの間に立設される支持フレーム３１０を備え、該支持フレーム３１０には、例えば、空気清浄装置３０１と、分煙ボード３０２と、吸殻受入部１０１と、が配設されている。尚、本実施例では、ユーティリティーユニット７には、空気清浄装置３０１と、分煙ボード３０２と、吸殻受入部１０１と、が配設されているが、配設される装置や部位は種々に変更可能である。
【００４５】
図５に示すように、吸殻受入部１０１は、支持フレーム３１０の前面に形成された受入口３１１と、該受入口３１１の下辺に回動軸３１３を介して軸支され、該受入口３１１を閉鎖する閉鎖位置（図５中１点鎖線位置）と受入口３１１を開放する開放位置（図５中実線位置）との間で回動可能に設けられた蓋体３１２と、から主に構成されている。本実施例では、吸殻受入部１０１は、支持フレーム３１０の前面における操作部２ａとほぼ同じ高さ位置に配設されている。
【００４６】
尚、蓋体３１２は、開放位置において吸殻受入部を構成する。また、受入口３１１の背面側は耐熱性を有するカバー部材３１４により覆われている。このカバー部材３１４の背面下部には接続口３１５が形成されているとともに、内部には、受入口３１１の下辺から接続口３１５の下辺に向けて下方に傾斜する傾斜板３１６が設けられている。尚、傾斜板３１６は誘導路１０２の一部を構成している。
【００４７】
カバー部材３１４の背面には、誘導路１０２を構成する誘導路部材１０２ａの上端が接続口３１５を覆うように接続されており、これにより受入口３１１と誘導路１０２とが接続口３１５を介して連通されている。よって、遊技者等により受入口３１１に投入され該受入口３１１から受け入れた吸殻Ｇは、傾斜板３１６を滑り落ちて接続口３１５から誘導路１０２内に流入するようになっている。
【００４８】
このように、各吸殻受入部１０１から延設された誘導路１０２は、それぞれ回収路１０５に連通している。回収路１０５は、図１〜図４に示すように、遊技機設置島１の長手方向に向けて略水平に延設されており、左側端部は回収部１０３に連通されている。
【００４９】
図６〜図８に示すように、回収路１０５は、断面視略Ｕ字形をなし上面が開放する樋状の本体１０５ａと、該本体１０５ａの上面開口を閉鎖する帯状の蓋板１０５ｂと、から構成され、本体１０５ａの内部には、スパイラルコンベア１０４が軸心周りに回動可能に収容されている。これら本体１０５ａおよび蓋板１０５ｂは、金属材等の耐熱性を有する部材にて構成されている。回収路１０５は、回収部１０３に形成された連通口３２１を介して連通されており、スパイラルコンベア１０４の一端は連通口３２１を介して回収部１０３に設けられた駆動源３２０に連結されている。よって、駆動源３２０によりスパイラルコンベア１０４が回転されることで、回収路１０５内に誘導された吸殻Ｇがスパイラルコンベア１０４により搬送され、連通口３２１から回収部１０３内に設けられたダストボックス３２２内に排出されるようになっている。尚、ダストボックス３２２は、回収部１０３の本体から取り出し可能に設けられているため、吸殻Ｇが溜まったら適宜取り出して廃棄できるようになっている。
【００５０】
また、本実施例では、回収路１０５の一端に回収部１０３が配設されていたが、回収路１０５の端部以外の箇所に配設されていてもよい。また、一の回収路１０５に対し複数の回収部を設けてもよい。
【００５１】
図７に示すように、蓋板１０５ｂは、ネジにより本体１０５ａに取り付けられ、これら本体１０５ａと蓋板１０５ｂとにより、管状の回収路１０５を構成する。また、蓋板１０５ｂにおける各誘導路１０２に対応する位置には接続口３２５が複数形成されており、これら各接続口３２５には、誘導路部材１０２ａの下端がそれぞれ接続されている。よって、回収路１０５は、接続口３２５を介して各誘導路１０２に連通されているので、各吸殻受入部１０１から受け入れた吸殻Ｇは、誘導路１０２を自然流下して回収路１０３に誘導され、スパイラルコンベア１０４により回収路１０３内を搬送されて回収部１０３のダストボックス３２２内に貯留される。
【００５２】
このように構成される回収路１０５は、図４及び図８に示すように、蓋板１０５ｂにおける長手方向の複数箇所が、各支持枠６６Ｌ，６６Ｒの連結ビーム７１の下面における左右方向の略中央位置にボルト３２６ａ及びナット３２６ｂにより取り付けられていることにより、躯体５の下部を構成する下部ユニット６０に支持されている。つまり、回収路１０５は、前支持枠７０Ｆと後支持枠７０Ｂとの間に、遊技機設置島１の長手方向に向けて延設されている。
【００５３】
また、回収路１０５は、連結ビーム７１の下面に取り付けられていることで、固定板１３ａや膳板１３及び固定板１３ａよりも下方位置、つまり、パチンコ遊技機２やスロットマシン３の下部よりも下方位置に配設されている。そして、吸殻受入部１０１は、膳板１３及び固定板１３ａよりも上方位置に配設されているため、誘導路１０２は、吸殻受入部１０１から回収路１０５に向けて下方に傾斜するように配設される。よって、吸殻受入部１０１から受け入れた吸殻Ｇは、誘導路１０２を自然流下により誘導されて回収路１０５内に流入し、スパイラルコンベア１０４により回収部１０３まで搬送される。このように、誘導路１０２、スパイラルコンベア１０４、回収路１０５は、各吸殻受入部１０１から受け入れた吸殻を回収部１０３まで搬送する搬送手段を構成している。
【００５４】
以上説明したように、本発明の実施例としての遊技機設置島１、吸殻回収装置１００にあっては、パチンコ遊技機２やスロットマシン３が設置される設置部としての設置空間部ＳＦ，ＳＢが複数設けられた躯体５を有してなり、パチンコ遊技機２から払い出された遊技球を受け入れる球箱２０を載置するための膳板１３が設けられる第１態様（例えば、図２中の右側の設置空間部ＳＦの態様）と、膳板１３が設けられない第２態様（例えば、図２中の左側の設置空間部ＳＢの態様）と、のいずれかに変更可能であり、吸殻回収装置１００は、各パチンコ遊技機２やスロットマシン３に対応して設けられる吸殻受入部１０１と、各吸殻受入部１０１から受け入れた吸殻を回収部１０３まで搬送する搬送手段としてのスパイラルコンベア１０４、回収路１０５と、を有し、スパイラルコンベア１０４を有する回収路１０５は、躯体５の一部である連結ビーム７１に支持されていることで、吸殻回収装置１００の回収路１０５（詳しくは、回収路１０５を構成する本体１０５ａ及び蓋体１０５ｂ）が、膳板１３ではなく、躯体５の一部である連結ビーム７１に取り付けられ、長手方向に向けて略水平に支持されることで、遊技機設置島１が遊技機の種類に応じて膳板１３が設けられない第２態様に変更された場合でも回収路１０５を支持することができるため、遊技機設置島１の設計の自由度が向上する。
【００５５】
つまり、遊技機設置島１の長手方向に向けて延設される回収路１０５の長手方向の複数個所が躯体５の一部に支持されることで、設置する遊技機の種別に応じて、躯体５における横フレーム７５に膳板１３を取り付けたり取り外したりすることができる。これにより、スロットマシン３や後述する封入式パチンコ遊技機２Ａ等を設置する場合において、回収路１０５を支持するために本来必要ない膳板１３を設けなくて済むとともに、複数の吸殻受入部１０１から収集される吸殻Ｇが搬送される回収路１０５が、遊技機を支持する強度の高い躯体５に安定して支持されるので、例えば、火がついたままの吸殻Ｇなどを搬送する危険な回収路１０５が振動や何らかの外力を受けることなどにより落下することが防止される。
【００５６】
さらに、このような回収路１０５が躯体５の内部、つまり、遊技機設置島１の内部に配設されるので、回収路１０５内部や遊技機設置島１の内部に煙探知機等を設け、吸殻Ｇが詰まったときなどに図示しないホールコンピュータや従業員等に報知されるようにしておくことが好ましい。
【００５７】
また、本実施例では、回収路１０５は躯体５における連結ビーム７１に支持されていたが、躯体５であれば支持部は任意に変更可能であり、例えば、第２縦フレーム７６等に支持部材を介して間接的に支持されてもよいし、横フレーム７５の下方位置等に直接支持されてもよい。また、躯体５は、遊技機が設置される設置部（設置空間部ＳＦ，ＳＢ）が複数設けられたものであり、本実施例では、主に下部ユニット６０や上部ユニット６１などの金属製のフレームと固定板１３ａとから主に構成されていたが、例えば、下部ユニット６０などに一体に組付けられる固定板１３ａや扉枠１２など、膳板１３を除く板材等の他の部材を含んでいてもよい。具体的には、例えば、下部ユニット６０、固定板１３ａ、扉枠１２等が予め一体に形成された躯体の場合、膳板１３のみが該躯体に対し着脱可能とされ、該躯体に回収路１０５が支持されればよい。
【００５８】
さらに、本実施例では、回収路１０５は前支持枠７０Ｆと後支持枠７０Ｂとの間に配設されている。つまり、回収路１０５が躯体５の内部に配設されていることで、遊技者の脚などがぶつかることがないので、遊技者の脚元に広いスペースを確保することが可能となる。尚、本発明にあっては、このように躯体５の内部に配設されるものに限定されるものではなく、躯体５に支持されていれば、例えば、第１縦フレーム７４の外面等、躯体５の外部に支持されてもよい。
【００５９】
また、本実施例では、遊技機が設置される設置部としての設置空間部ＳＦ，ＳＢを構成する固定板１３ａと、遊技機から払い出された遊技媒体を受け入れる箱体を載置するための膳板１３と、は別個に構成されていたが、これら固定板１３ａと膳板１３とが一体化されていてもよい。この場合、固定板１３ａと膳板１３とが一体化された合板を設けた場合は第１態様となり、固定板１３ａのみを設けた場合は第２態様となる。また、膳板１３の上面に固定板１３ａを介さずに直接遊技機を載置するようにしてもよい。
【００６０】
尚、本実施例では、遊技機から払い出された遊技媒体を受け入れる箱体の一例として、パチンコ遊技機２から払い出された遊技球を受け入れる球箱２０が記載されていたが、本発明はこれに限定されるものではなく、例えば、パチンコ遊技機２から払い出された遊技球数を計数可能な計数装置が各パチンコ遊技機２に対応して配設されたもの等においては、パチンコ遊技機２から払い出された遊技球を受け入れて計数装置に誘導する箱体等も含む。
【００６１】
また、本実施例では、吸殻を回収部１０３まで搬送する搬送手段の一例として、回収路１０５内に配設されたスパイラルコンベア１０４が適用されていたが、吸殻を搬送可能な搬送手段であればスパイラルコンベア１０４に限定されるものではなく、例えば、ベルトコンベアやチェーンコンベア等であってもよいし、あるいは、回収路１０５内の吸殻をブロアにより移送するものや、吸引により移送するもの等であってもよい。
【００６２】
また、本実施例では、吸殻受入部１０１は、図１に示すように、複数の設置空間部ＳＦ，ＳＢに設置されるパチンコ遊技機２やスロットマシン３のうち少なくとも一の遊技機と該一の遊技機と隣り合う他の遊技機との間に配設されたユーティリティーユニット７に配設されていることで、遊技者の脚の邪魔にならない箇所に吸殻受入部１０１を配設することができる。尚、本実施例では、吸殻受入部１０１はユーティリティーユニット７に配設されていたが、一の遊技機と該一の遊技機と隣り合う他の遊技機との間に配設する場合、例えば、設置空間部ＳＦ，ＳＢの長手方向の所定箇所に立設される間柱等、躯体５の一部を構成する他の部材に配設してもよい。
【００６３】
また、吸殻回収装置１００は、吸殻受入部１０１から延設され受け入れた吸殻Ｇを誘導する誘導路１０２と、遊技機設置島１の長手方向に向けて延設され、誘導路１０２により誘導された吸殻Ｇを回収部１０３まで誘導する回収路１０５と、を有し、誘導路１０２は、吸殻受入部１０１から回収路１０５に向けて下方に傾斜するように設けられている。つまり、回収路１０５は、吸殻受入部１０１よりも下方位置に配設されていることで、吸殻受入部１０１から受け入れた吸殻Ｇを、搬送機構等を用いることなく自然流下により回収路１０５に誘導できるので、製造コストを低減できる。また、回収路１０５が遊技機を支持する躯体５に支持されることで、回収路１０５から各誘導路１０２に遊技機などからの振動が伝達されるので、誘導路１０２を流下する吸殻Ｇが振動により滞留しにくくなるので、流下しやすくなる。
【００６４】
また、本実施例では、遊技機設置島１は、該遊技機設置島１の前面側及び背面側に設置空間部ＳＦ，ＳＢが配設され、前面側の設置空間部ＳＦに配設される吸殻受入部１０１と、背面側の設置空間部ＳＢに配設される吸殻受入部１０１と、を有し、回収路１０５は、前後の吸殻受入部１０１，１０１との間に設けられていることで、遊技機設置島１の前面側に設けられた複数の吸殻受入部１０１から受け入れた吸殻Ｇと、遊技機設置島１の背面側に設けられた複数の吸殻受入部１０１から受け入れた吸殻Ｇとを、一の回収路１０５、つまり、前後面で共通の回収路１０５にて回収することができるため、吸殻回収装置１００の設置作業が容易になるとともに、遊技機設置島１の製造コストを低減できる。
【００６５】
また、遊技機は、当該遊技機から払い出された遊技媒体を箱体に排出する排出口２ｃを有する第１遊技機（例えば、パチンコ遊技機２）と前記排出部を有しない第２遊技機（例えば、スロットマシン３／パチンコ遊技機２Ａ）とを含み、遊技機設置島１は、パチンコ遊技機２を設置するときは第１態様（例えば、図２中の右側の態様）とし、スロットマシン３を設置するときには第２態様（例えば、図２中の左側の態様）に変更可能であることで、第１遊技機と第２遊技機とを個別または併設することができる。
【００６６】
遊技機設置島１における遊技機の設置態様例について、図９〜図１２に基づいて説明する。図９は、遊技機設置島の前後面にパチンコ遊技機を設置した状態を示す断面図である。図１０は、遊技機設置島の前後面にスロットマシンを設置した状態を示す断面図である。図１１は、遊技機設置島の前後面に封入式のパチンコ遊技機を設置した状態を示す断面図である。図１２は、遊技機設置島の前面側のみに封入式のパチンコ遊技機を設置した状態を示す断面図である。
【００６７】
図９に示すように、前後面の設置空間部ＳＦ，ＳＢ双方にパチンコ遊技機２を設置する場合は、設置空間部ＳＦ，ＳＢそれぞれの各載置枠１２０の上面に膳板１３及び固定板１３ａを配設し、この固定板１３ａ上にパチンコ遊技機２の下面を釘（図示略）等により固定することにより設置される。つまりこの場合、遊技機設置島１における前後側双方の設置空間部ＳＦ，ＳＢは、パチンコ遊技機１から払い出された遊技球を受け入れる球箱２０を載置するための膳板１３が設けられる第１態様とされる。このように、パチンコ遊技機１を設置するために第１態様とされた場合でも、回収路１０５が膳板１３ではなく躯体５の一部である連結ビーム７１に支持されることで、回収路１０５を支持することができる。
【００６８】
図１０に示すように、前後面の設置空間部ＳＦ，ＳＢ双方にスロットマシン３を設置する場合は、設置空間部ＳＦ，ＳＢそれぞれの横フレーム７５，７５の上面に固定板１３ａのみを配設し、この固定板１３ａ上にスロットマシン３の下面を釘（図示略）等により固定することにより設置される。つまりこの場合、遊技機設置島１における前後側双方の設置空間部ＳＦ，ＳＢは、膳板１３が設けられない第２態様とされる。このように、スロットマシン３を設置するために第２態様とされた場合でも、回収路１０５が膳板１３ではなく躯体５の一部である連結ビーム７１に支持されることで、回収路１０５を支持することができる。
【００６９】
また、図１１に示すパチンコ遊技機は、予め定められた球数の遊技球が遊技機内部に循環可能に内封され、遊技者による貸出要求に応じて貸し出された貸出球や、入賞に応じて付与された賞球数が加算される一方、遊技に使用された遊技球数が減算されて記憶される、所謂、封入式パチンコ遊技機であるため、遊技機設置島１には、封入式パチンコ遊技機２Ａに遊技球を補給するための補給経路、封入式パチンコ遊技機２Ａから排出された遊技球を回収する回収経路、回収した遊技球を躯体５の上方に揚送する揚送装置及び揚送経路、揚送された遊技球を貯留する上部タンクといった遊技球の循環経路が不要とされている。
【００７０】
また、封入式パチンコ遊技機２Ａからは遊技球が払い出されることはないので、下皿や排出口等も存在しない。このように封入式パチンコ遊技機２Ａは循環経路が不要であるため、循環経路等が内設された遊技機設置島に比べて構造が簡素でコンパクトな遊技機設置島を構成できるとともに、スロットマシン３と併設しやすくなる。
【００７１】
ここで、前後面の設置空間部ＳＦ，ＳＢ双方に、封入式パチンコ遊技機２Ａを設置する場合は、設置空間部ＳＦ，ＳＢそれぞれの横フレーム７５，７５の上面に固定板１３ａのみを配設し、この固定板１３ａ上に封入式パチンコ遊技機２Ａの下面を釘（図示略）等により固定することにより設置される。つまりこの場合、スロットマシン３と同様に、遊技機設置島１における前後側双方の設置空間部ＳＦ，ＳＢは、膳板１３が設けられない第２態様とされる。このように、スロットマシン３を設置するために第２態様とされた場合でも、回収路１０５が膳板１３ではなく躯体５の一部である連結ビーム７１に支持されることで、回収路１０５を支持することができる。
【００７２】
また、前述したように、封入式パチンコ遊技機２Ａを前後面の設置空間部ＳＦ，ＳＢ双方に設置する場合、循環経路が不要であるため、連結ビーム７１の下方位置に循環経路等がない空間が形成されるため、扉枠１２を除去して躯体５の内部における連結ビーム７１の下方が前後に開放し、遊技者の脚周りの空間を躯体５内部に確保することが可能となる。
【００７３】
また、本実施例では、遊技機設置島１は、前面側及び背面側に遊技機を設置するための設置空間部ＳＦ，ＳＢが設けられていたが、前面側及び背面側のうちいずれか一面にのみ設置空間部が設けられていてもよい。具体的には、図１２に示すように、躯体５Ａの支持枠６６Ｌ，６６Ｒは、前支持枠７０Ｆのみが形成され、後支持枠７０Ｂは形成されていない。このような躯体５Ａにて構成される遊技機設置島１にあっても、設置空間部ＳＦにパチンコ遊技機２Ａを設置する場合は、設置空間部ＳＦの横フレーム７５の上面に固定板１３ａのみを配設し、この固定板１３ａ上にパチンコ遊技機２Ａの下面を釘（図示略）等により固定することにより設置される。つまりこの場合、スロットマシン３と同様に、遊技機設置島１における前後側双方の設置空間部ＳＦは、膳板１３が設けられない第２態様とされる。このように、スロットマシン３を設置するために第２態様とされた場合でも、回収路１０５が膳板１３ではなく躯体５の一部である連結ビーム７１に支持されることで、回収路１０５を支持することができる。
【００７４】
また、前記実施例では、搬送手段としての回収路１０５が躯体５の連結ビーム７１に取り付けられることで支持されていたが、搬送手段としての誘導路１０２が躯体５の連結ビーム７１などに支持されていてもよい。また、誘導路１０２は、回収路１０５とは別個に形成され、ネジにより接続可能とされていたが、例えば、回収路１０５の蓋板１０５ｂに誘導路１０２が一体に形成されていてもよい。
【００７５】
さらに、本実施例では、吸殻受入部１０１から受け入れた吸殻Ｇは、誘導路１０２及び回収路１０５を介して回収部１０３まで搬送されるようになっていたが、例えば、回収部１０３を所定台数の遊技機に対応して複数設け、各吸殻受入部１０１から受け入れた吸殻Ｇが誘導路１０２のみにより回収部１０３まで搬送され回収されるようにしてもよい。
【００７６】
次に、本発明の変形例としての吸殻回収装置１００Ａについて、図１３〜図１５に基づいて説明する。図１３は、遊技機設置島の前面及び背面を示す図である。図１４は、図１３のＢ−Ｂ断面図である。図１５は、遊技機設置島の要部を示す斜視図である。尚、以下の説明において、前記実施例と同様の部位に関しては、同様の符号を付すことによりその詳細な説明は省略することとする。
【００７７】
前記実施例の吸殻回収装置１００は、吸殻受入部１０１がユーティリティーユニット７の前面に設けられていたが、本変形例の吸殻回収装置１００Ａにおける吸殻受入部１０１Ａは、図１３〜図１５に示すように、固定板１３ａの前端面における各カードユニット６及びユーティリティーユニット７に対応する位置から前方に向けて突出するように設けられた突出板１３ｂに設けられており、ユーティリティーユニット７には設けられていない。尚、突出板１３ｂは、固定板１３ａの前端における各カードユニット６及びユーティリティーユニット７に対応する位置に該固定板１３ａとは別個に設けてもよいし、固定板１３ａから一体的に突設されていてもよい。
【００７８】
突出板１３ｂは、固定板１３ａの前端から前方に向けて略水平に突出しており、その前端部には、吸殻Ｇを受け入れる吸殻受入部１０１Ａが設けられている。つまり、突出板１３ｂは、長手方向に延設される固定板１３ａの前端における各カードユニット６及びユーティリティーユニット７に対応する位置、つまり、遊技機の側方位置から遊技者側に向けて部分的に突設されているため、封入式パチンコ遊技機２Ａ、スロットマシン３にて遊技を行う遊技者の左側方において、吸殻受入部１０１Ａが遊技者側に近づくように配設されている。よって、各遊技機の下方位置において遊技機設置島１の長手方向に向けて延設される膳板１３のように遊技者の脚の邪魔になることがなく、かつ、ユーティリティーユニット７に設けた場合よりも遊技者側に吸殻受入部１０１Ａを設けることができる。
【００７９】
また、突出板１３ｂの下面における吸殻受入部１０１Ａに対応する位置からは、誘導路１０２Ａが下方に向けて延設されている。誘導路１０２Ａは、吸殻受入部１０１Ａから下方に向けて垂下した後、躯体５内に向けて斜め下方に屈曲して延設され、回収路１０５Ａに接続されていることで、誘導路１０２の上部は躯体５（第１縦フレーム７４）から遊技者側に突出した位置（躯体５の外部）に配置され、下部は躯体５の内部に配置されている。つまり、誘導路１０２Ａは、該誘導路１０２Ａの上部が躯体５から遊技者側に突出するように設けられ、該誘導路１０２Ａの突出側端部である上端部に吸殻受入部１０１Ａが配設されている。
【００８０】
また、この場合、吸殻受入部１０１Ａの配置位置は、前記実施例の吸殻受入部１０１よりも下方位置になるため、回収路１０５Ａの配置位置も、前記実施例の回収路１０５よりも下方位置にて支持される。具体的には、図１４に示すように、連結ビーム７１よりも下方位置において第１縦フレーム７４，７４同士を連結する連結ビーム７３が設けられており、この連結ビーム７３に取り付けられている。
【００８１】
このように、吸殻受入部１０１Ａは、前記実施例のように、各遊技機に対応して並設されるユーティリティーユニット７に配設されるものに限定されるものではなく、固定板１３ａよりも遊技者側に突出した位置などに配設してもよい。そして、このように躯体５よりも遊技者側に吸殻受入部１０１Ａを配設することで、遊技者は遊技をしながらでも吸殻Ｇを吸殻受入部１０１Ａに投入しやすくなる。
【００８２】
吸殻回収装置１００Ａは、吸殻受入部１０１Ａから延設され受け入れた吸殻Ｇを誘導する誘導路１０２Ａと、遊技機設置島１の長手方向に向けて延設され、誘導路１０２Ａにより誘導された吸殻Ｇを回収部１０３Ａまで誘導する回収路１０５Ａと、を有し、誘導路１０２Ａは、躯体５から遊技者側に突出するように設けられ、該誘導路１０２Ａの突出側端部に吸殻受入部１０１Ａが配設されていることで、吸殻受入部１０１Ａが躯体５よりも遊技者側にあるので、遊技者は吸殻Ｇを投入しやすくなる。
【００８３】
すなわち、搬送手段の一部（例えば、回収路１０５Ａ）が躯体５に支持されていれば、搬送手段の他部（例えば、誘導路１０２Ａの上部など）は躯体５の外部に設けられていてもよく、このようにすることで、吸殻受入部１０１Ａをより遊技者側に近づけて配設することができるため、吸殻を吸殻受入部１０１Ａに投入しやすくなる。
【００８４】
次に、図１６には、誘導路１０２の変形例が示されている。誘導路１０２は、吸殻受入部１０１から斜め下方に延設される誘導路部材１０２ａと、誘導路部材１０２ａに対し伸縮可能に嵌合された調整用部材１０２ｂと、から構成されており、吸殻受入部１０１の配置位置に応じて、誘導路部材１０２ａに対する調整用部材１０２ｂの取付位置を変更することができるようになっている。
【００８５】
具体的には、誘導路部材１０２ａ及び調整用部材１０２ｂにおける垂直部は互いに軸心方向に摺動可能に嵌合されており、誘導路部材１０２ａに対し調整用部材１０２ｂを伸縮させることで、誘導路１０２における垂直部の長さを調整できる。よって、例えば、図１４に示すように、封入式パチンコ遊技機２Ａとスロットマシン３とで吸殻受入部１０１Ａの設置高さ位置が異なる場合でも、誘導路部材１０２ａに対し調整用部材１０２ｂを伸縮させることで高さ位置を合わせることができるので、配設高さ位置の変更にも容易に対応することが可能となる。
【００８６】
すなわち、誘導路１０２は、誘導路部材１０２ａに対し調整用部材１０２ｂを伸縮させることで、回収路１０５の接続口３２５に対する接続位置を上下方向に変更可能に構成されているため、例えば、図１４に示すように、一の遊技機設置島１に、設置する高さ位置が異なる遊技機（例えば、封入式パチンコ遊技機２Ａとスロットマシン３等）を併設する際において、吸殻受入部１０１を第１位置（例えば、図１４中左側の位置）と該第１位置よりも高い第２位置（例えば、図１４中右側の位置）とに配設する場合でも、接続位置を変更するだけで誘導路１０２を容易に回収路１０５に接続することができる。
【００８７】
尚、ここでは誘導路１０２の一部の上下長さを調整可能な構成を記載したが、誘導路１０２は、回収路１０５の接続口３２５に対する接続位置を変更可能に構成されていれば、例えば、蛇腹部を有する管体やフレキシブル管など、その少なくとも一部が変形可能に構成された管状の通路部材にて構成されていてもよいし、あるいは、図１６に示すように、互いに相対移動可能に嵌合された複数の通路部材等により、誘導路１０２の長さを変更可能に構成されていてもよい。また、誘導路１０２は、吸殻受入部１０１に対する接続位置を変更可能に構成されていてもよく、この場合、例えば、誘導路１０２の上部が長さ調整可能に構成されていればよい。さらに、上下方向の長さを調整可能なだけではなく、左右方向の長さを調整可能としてもよい。
【００８８】
次に、本発明の変形例としての躯体５Ｂについて、図１７に基づいて説明する。図１７は、本発明の変形例としての躯体の要部を示す図である。尚、以下の説明において、前記実施例と同様の部位に関しては、同様の符号を付すことによりその詳細な説明は省略することとする。
【００８９】
図１７に示すように、躯体５Ｂは、床面に立設される第１フレームとしての下部フレーム体１７３，１７３と、下部フレーム体１７３，１７３の第２縦フレーム７６，７６に対し高さ位置調整可能に設けられる第２フレームとしての昇降フレーム１３０，１３０と、を有し、搬送手段としての回収路１０５は、前後の昇降フレーム１３０，１３０を連結する連結ビーム１３１に支持されている。
【００９０】
具体的には、昇降フレーム１３０，１３０は、横フレーム７５の上方位置に配置される水平フレーム１３０ａと、水平フレーム１３０ａの一端に溶着され第２縦フレーム７６，７６に対し昇降可能に嵌合される垂直フレーム１３０ｂと、から構成され、第２縦フレーム７６，７６に対しボルト１３２、ナット１３３を介して固定されるようになっている。
【００９１】
このように構成された昇降フレーム１３０，１３０は、例えば、図１７（Ａ）に示すように、前後の設置空間部ＳＦ，ＳＢ双方にスロットマシン３を設置する場合、水平フレーム１３０ａが横フレーム７５の上部に載置される第１支持位置に固定され、図１７（Ｂ）に示すように、前後の設置空間部ＳＦ，ＳＢ双方にパチンコ遊技機２を設置する場合、水平フレーム１３０ａが横フレーム７５よりも上方に位置する第２支持位置に固定される。
【００９２】
よって、昇降フレーム１３０，１３０の高さ位置を調整することに応じて回収路１０５が上下動するので、設置する高さ位置が異なる遊技機（例えば、パチンコ遊技機２とスロットマシン３等）を併設する場合でも、回収路１０５の高さ位置を該設置した遊技機に対応する位置に配設することができるため、例えば、図１６にて説明したように、誘導路１０２の長さを変更したりしなくても、遊技機に対応した高さ位置に吸殻受入部１０１を配設することができる。
【００９３】
尚、設置面に立設される第１フレームに対し高さ位置調整可能に設けられ第２フレームの一例として、第２縦フレーム７６，７６に対し昇降可能に設けられた昇降フレーム１３０，１３０を記載したが、これに限定されるものではなく、躯体の一部を構成する第１フレームに対し昇降可能に設けられていれば、第２縦フレーム７６，７６に対し昇降可能に設けられたものに限定されるものではない。
【００９４】
以上、本発明の実施例を図面により説明してきたが、具体的な構成はこれら実施例に限られるものではなく、本発明の要旨を逸脱しない範囲における変更や追加があっても本発明に含まれる。
【００９５】
例えば、前記実施例では、スロットマシン３として、遊技用価値としてメダル（遊技媒体）やクレジット等を用いて遊技を行うスロットマシン３が適用されていたが、本発明はこれに限定されるものではなく、遊技用価値として遊技球（遊技媒体）を用いて遊技を行うスロットマシンであってもよいし、雀球遊技機等にも適用可能である。
【００９６】
また、前記実施例では、遊技者所有の遊技用価値としてのメダルの一部（前記実施例では５０枚まで）をクレジットとして記憶可能であり、メダルまたはクレジットを用いることで遊技（ゲーム）を行うことができるようになっていたが、例えば貸出要求に応じて貸し出された価値や入賞に応じて付与された価値を全てクレジットとして記憶し、該クレジットのみの使用で遊技を行うことが可能な遊技機であってもよく、この場合、遊技用価値とはクレジットにあたる。
【００９７】
また、前記実施例では、遊技機設置島１は、複数の遊技機を横並びに直線状に設置可能な設置空間部を有しているが、このように複数の遊技機を横並びに直線状に設置するものだけでなく、例えば、複数の遊技機を横並びに環状に設置するものであってもよい。
【符号の説明】
【００９８】
１    遊技機設置島
２    パチンコ遊技機
２Ａ    封入式パチンコ遊技機
３    スロットマシン
５、５Ａ、５Ｂ    躯体
１３    膳板
１３ａ    固定板
１３ｂ    突出板
７１〜７３    連結ビーム
１００，１００Ａ    吸殻回収装置
１０１，１０１Ａ    吸殻受入部
１０２，１０２Ａ    誘導路
１０３，１０３Ａ    回収部
１０５，１０５Ａ    回収路
【図１】
2014217455.tif 000003
【図２】
2014217455.tif 000004
【図３】
2014217455.tif 000005
【図４】
2014217455.tif 000006
【図５】
2014217455.tif 000007
【図６】
2014217455.tif 000008
【図７】
2014217455.tif 000009
【図８】
2014217455.tif 000010
【図９】
2014217455.tif 000011
【図１０】
2014217455.tif 000012
【図１１】
2014217455.tif 000013
【図１２】
2014217455.tif 000014
【図１３】
2014217455.tif 000015
【図１４】
2014217455.tif 000016
【図１５】
2014217455.tif 000017
【図１６】
2014217455.tif 000018
【図１７】
2014217455.tif 000019